(57)【要約】      （修正有）【課題】複数枚の板材を積層して形成したガイド溝内に、薄い板材から構成したスライド部材を、ガタ付きの少ない状態でもってスライドすることができるスライド機構を提供する。【解決手段】スライド平面９Ａを備えると共にＬ形状の屈曲部９Ｂを備えたガイドプレート９をスライドベース３に備え、ガイドプレート９の内側に配置した内側ガイドプレート１３とスライド平面９Ａとの間に第１ガイド溝を備えると共に内側ガイドプレート１３の端縁部と屈曲部９Ｂとの間に第２ガイド溝１５Ｂを備え、第１ガイド溝と第２ガイド溝１５Ｂとを連通することによってＬ形状のガイド溝１５を形成して備え、ガイド溝１５にスライド部材のＬ形状のスライド部を係合した際に、スライド部における屈曲部をスライド面９Ａへ押圧する第１押圧部２５と、スライド部をガイドプレート９の屈曲部９Ｂへ押圧する第２押圧部２７とを内側ガイドプレートの端縁部に備えている。【選択図】図２
2017214979.tif 000002
【特許請求の範囲】
【請求項１】
スライドベースに備えた断面Ｌ形状のガイド溝に、スライド部材に備えたＬ形状のスライド部を摺動可能に係合したスライド機構であって、スライド平面を備えると共にＬ形状の屈曲部を備えたガイドプレートを前記スライドベースに備え、前記ガイドプレートの内側に配置した内側ガイドプレートと前記スライド平面との間に第１ガイド溝を備えると共に前記内側ガイドプレートの端縁部と前記屈曲部との間に第２ガイド溝を備え、前記第１ガイド溝と第２ガイド溝とを連通することによってＬ形状のガイド溝を形成して備え、前記ガイド溝にスライド部材のＬ形状のスライド部を係合した際に、前記スライド部における屈曲部を前記スライド面へ押圧する第１押圧部と、前記スライド部を前記ガイドプレートの屈曲部へ押圧する第２押圧部とを前記内側ガイドプレートの端縁部に備えていることを特徴とするスライド機構。
【請求項２】
請求項１に記載のスライド機構において、前記第１，第２の押圧部を形成するために、前記内側ガイド部材の端縁部に沿う方向に形成したスリットによって前記内側ガイド部材の端縁部に備えた弾性アームの先端側に、前記スライド平面側及び前記ガイドプレートの前記屈曲部側へ突出した突出部を備えていることを特徴とするスライド機構。
【請求項３】
請求項２に記載のスライド機構において、前記突出部は前記弾性アームの先端部に備えられており、前記突出部は第１押圧部と第２押圧部とを兼用していることを特徴とするスライド機構。
【請求項４】
請求項１に記載のスライド機構において、前記第１押圧部を形成するために、前記内側ガイド部材の端縁部に対して交差する方向に形成した一対のスリット間に備えた弾性アームの先端部に、前記スライド平面側へ突出した突出部を備え、前記第２押圧部を形成するために、前記内側ガイド部材の端縁部に沿う方向に形成した弾性アームの先端部に、前記ガイドプレートの前記屈曲部側へ突出した突出部を備えていることを特徴とするスライド機構。
【請求項５】
請求項１〜４のいずれかに記載のスライド機構において、前記スライド部材のスライド部における前記屈曲部に、前記第１押圧部が係合自在な凹部又は切欠部を備えていることを特徴とするスライド機構。
【請求項６】
請求項１〜５のいずれかに記載のスライド機構において、前記ガイドプレートと前記内側ガイドプレートとの間に、中間プレートを介在することによって前記第１ガイド溝が形成してあり、前記スライドベース、ガイドプレート、中間プレート及び内側ガイドプレートは接合手段によって一体化してあることを特徴とするスライド機構。
【発明の詳細な説明】
【技術分野】
【０００１】
本発明は、板材の組合せによって構成したスライド機構に係り、さらに詳細には、スライド部材とガイド溝との間の微少間隙を吸収して円滑な摺動を行うことができるスライド機構に関する。
【背景技術】
【０００２】
ガイド溝にスライド部材を摺動自在に係合したスライド機構としては、例えば鳩尾状のあり溝に、鳩尾状のありを摺動自在に係合した構成など種々の構成がある。そして、本発明に関係すると思われる特許文献としては、例えば特許文献１，２などがある。
【先行技術文献】
【特許文献】
【０００３】
【特許文献１】特開昭５９−１７５９３２号公報
【特許文献２】特開２００８−１７３６９１号公報
【発明の概要】
【発明が解決しようとする課題】
【０００４】
スライド機構の軽量化を図るために、図１に示すように、薄い板材によってスライド機構を作成した。すなわち、スライド機構１は、スライドベース３とスライド部材５とを備えている。前記スライドベース３は、矩形状のベースプレート７を備えている。このベースプレート７上には、スライド平面９Ａを備えると共に左右方向（Ｘ軸方向）の両側縁にＬ形状の屈曲部９Ｂを備えたガイドプレート９が備えられている。
【０００５】
前記ガイドプレート９の上面内側には、中間プレート１１を介して内側ガイドプレート１３が一体的に備えられている。そして、前記内側ガイドプレート１３と前記スライド平面９Ａのとの間には、前記中間プレート１１の厚さに相当する第１ガイド溝１５Ａが備えられている。また、前記内側ガイドプレート１３のＸ軸方向の端縁部１３Ａと前記屈曲部９Ｂとの間には、第２ガイド溝１５Ｂが備えられている。そして、前記第１ガイド溝１５Ａと第２ガイド溝１５Ｂとを連通することにより、断面形状がＬ形状のガイド溝１５が形成されている。
【０００６】
前記スライド部材５には、Ｌ形状の前記ガイド溝１５に摺動自在に係合する断面Ｌ形状のスライド部１７Ａが備えられている。より詳細には、前記スライド部材５は、前記ガイドプレート９における前記屈曲部９Ｂの外側面に摺接する外側プレート１９を備えている。そして、この外側プレート１９の内面に、中間プレート２１を介して内側スライド部材１７が一体的に備えられている。この内側スライド部材１７の端縁部にＬ形状の前記スライド部７Ａが備えられている。前記スライド部１７Ａと前記外側プレート１９の内面との間には、前記中間プレート２１の厚さに相当するガイド溝２３がＹ軸方向に形成されている。
【０００７】
上記構成において、前記ガイドプレート９と内側スライド部材１７は同一厚さであり、かつ前記中間プレート１１と中間プレート２１は同一厚さである。そして、前記ガイドプレート９、内側スライド部材１７及び中間プレート１１，２１は、市販されている規格どおりの板厚であって、ガイドプレート９、内側スライド部材１７の板厚よりも中間プレート１１，２１の板厚の方が厚いものである。
【０００８】
前記スライドベース３と前記スライド部材５とを組合せる場合には、スライドベース３におけるＬ形状のガイド溝１５に、スライド部材５におけるＬ形状のスライド部１７ＡをＹ軸方向にスライドして係合するものである。この際、中間プレート１１，２１は規格どおりの板厚であり、かつガイドプレート９、内側スライド部材１７も規格どおりの板厚である。したがって、例えばガイド溝１５とスライド部１７Ａとの間の隙間が必要以上に大きいという問題がある。
【課題を解決するための手段】
【０００９】
本発明は、前述のごとき問題に鑑みてなされたもので、スライドベースに備えた断面Ｌ形状のガイド溝に、スライド部材に備えたＬ形状のスライド部を摺動可能に係合したスライド機構であって、スライド平面を備えると共にＬ形状の屈曲部を備えたガイドプレートを前記スライドベースに備え、前記ガイドプレートの内側に配置した内側ガイドプレートと前記スライド平面との間に第１ガイド溝を備えると共に前記内側ガイドプレートの端縁部と前記屈曲部との間に第２ガイド溝を備え、前記第１ガイド溝と第２ガイド溝とを連通することによってＬ形状のガイド溝を形成して備え、前記ガイド溝にスライド部材のＬ形状のスライド部を係合した際に、前記スライド部における屈曲部を前記スライド面へ押圧する第１押圧部と、前記スライド部を前記ガイドプレートの屈曲部へ押圧する第２押圧部とを前記内側ガイドプレートの端縁部に備えている。
【００１０】
また、前記スライド機構において、前記第１，第２の押圧部を形成するために、前記内側ガイド部材の端縁部に沿う方向に形成したスリットによって前記内側ガイド部材の端縁部に備えた弾性アームの先端側に、前記スライド平面側及び前記ガイドプレートの前記屈曲部側へ突出した突出部を備えている。
【００１１】
また、前記スライド機構において、前記突出部は前記弾性アームの先端部に備えられており、前記突出部は第１押圧部と第２押圧部とを兼用している。
【００１２】
また、前記スライド機構において、前記第１押圧部を形成するために、前記内側ガイド部材の端縁部に対して交差する方向に形成した一対のスリット間に備えた弾性アームの先端部に、前記スライド平面側へ突出した突出部を備え、前記第２押圧部を形成するために、前記内側ガイド部材の端縁部に沿う方向に形成した弾性アームの先端部に、前記ガイドプレートの前記屈曲部側へ突出した突出部を備えている。
【００１３】
また、前記スライド機構において、前記スライド部材のスライド部における前記屈曲部に、前記第１押圧部が係合自在な凹部又は切欠部を備えている。
【００１４】
また、前記スライド機構において、前記ガイドプレートと前記内側ガイドプレートとの間に、中間プレートを介在することによって前記第１ガイド溝が形成してあり、前記スライドベース、ガイドプレート、中間プレート及び内側ガイドプレートは接合手段によって一体化してある。
【発明の効果】
【００１５】
本発明によれば、内側ガイドプレートに第１，第２押圧部を備えていることにより、ガイド溝とスライド部との間の隙間を、ガタが生じないように抑制することができるものである。
【図面の簡単な説明】
【００１６】
【図１】試作したスライド機構の主要部の構成を示す断面図で、（Ａ）はスライドベースとスライド部材とを組合せる前の状態を示し、（Ｂ）は組合せた状態を示している。
【図２】本発明の第１の実施形態に係るスライドベースの構成を示す説明図である。
【図３】スライド部材の構成を示す説明図である。
【図４】本発明の第２の実施形態に係るスライドベースの構成を示す説明図である。
【発明を実施するための形態】
【００１７】
以下、図面を用いて本発明の実施形態について説明するに、前述したスライドベース３及びスライド部材５における各構成要素と同一機能を奏する構成要素には同一符号を付することとして重複した説明は省略する。
【００１８】
図２（Ａ）はスライドベース３の平面図で、図２（Ｂ）はスライドベース３の正面図である。図３（Ａ）はスライド部材５の側面図で、図３（Ｂ）はスライド部材５の正面図である。この実施形態においては、ベースプレート７、ガイドプレート９、中間プレート１１及び内側ガイドプレート１３は、複数箇所の接合手段ＳＷによって一体化してある。上記接合手段ＳＷとしては、例えばスポット溶接、接着、ネジ止め、カシメ等の種々の一体化手段が採用可能である。換言すれば、スライドベース３は、複数の板材を重ね合せて一体化した構成である。
【００１９】
同様に、スライド部材５も、外側プレート１９、中間プレート２１、内側スライド部材１７を、複数箇所の接合手段ＳＷによって一体化してあり、複数枚の板材を重ね合せた構成である。
【００２０】
前記スライドベース３には、第１押圧部２５と第２押圧部２７とを備えている。上記第１押圧部２５は、ガイド溝１５における第１ガイド溝１５Ａ内に位置するスライド部１７Ａの屈曲部１７Ｂを、ガイドプレート９におけるスライド平面９Ａに対して押圧する機能を有するものである。そして、前記第２押圧部２７は、前記ガイド溝１５における第２ガイド溝１５Ｂ内に位置するスライド部１７Ａの部分を、前記ガイドプレート９の屈曲部９Ｂへ押圧する機能を有するものである。
【００２１】
より詳細には、前記内側ガイドプレート１３におけるＸ軸方向（左右方向）の両端縁部１３Ｌ，１３Ｒには、両端縁部１３Ｌ，１３Ｒに沿う方向のスリット２９を形成することによって、Ｙ軸方向（前後方向）に長い弾性アーム３１を備えている。そして、前記弾性アーム３１の先端部に、前記スライド平面９Ａ側へ突出した第１押圧突出部３３Ａを備えると共に、前記ガイドプレート９の前記屈曲部９Ａ側へ突出した第２押圧突出部３３Ｂを備えている。
【００２２】
ところで、図２に示した実施形態においては、前記第１押圧突出部３３Ａと第２押圧突出部３３Ｂを弾性アーム３１の先端部に備えて、第１押圧突出部３３Ａと第２押圧突出部３３Ｂとを兼用した構成としてある。しかし、前記第１押圧突出部３３Ａと第２押圧突出部３３Ｂは、弾性アーム３１の別個の位置に備えることも可能である。
【００２３】
前記スライド部材５における内側スライド部材１７におけるスライド部１７Ａには、前記第１押圧突出部３３Ａ、第２押圧突出部３３Ｂが係合自在な切欠部３５が形成してある。なお、上記切欠部３５は、切欠部に限ることなく凹部に形成することも可能である。
【００２４】
前記構成において、スライド部材５の内側スライド部材１７におけるＬ形状のスライド部１７を、前記スライドベース３におけるＬ形状のガイド溝１５に対してＹ軸方向に係合すると、前記弾性アーム３１に備えた第１押圧突出部３３Ａは、前記内側スライド部材におけるスライド部１７Ａによって、図２（Ｂ）において上方向へ押圧される。換言すれば、前記第１押圧突出部３３Ａは、前記スライド部１７Ａを、ガイドプレート９のスライド平面９Ａに対して押圧するものである。
【００２５】
したがって、Ｌ形状のガイド溝１５における第１ガイド溝１５Ａと内側スライド部材１７のスライド部１７Ａとの間の隙間はガタ付きを生じないものである。
【００２６】
また、前述のように、ガイド溝１５に内側スライド部材１７におけるスライド部１７Ａを係合すると、このスライド部１７Ａは、前記弾性アーム３１に備えた第２押圧突出部３３Ｂによって、前記ガイドプレート９の屈曲部９Ｂへ押圧されるものである。したがって、Ｌ形状のガイド溝１５における第２ガイド溝１５Ｂ内における隙間はガタ付きを生じないように保持されるものである。
【００２７】
よって、スライドベース３に対してスライド部材５を相対的にＹ軸方向へ摺動するとき、摺動部に大きな隙間を生じることなく円滑に摺動することができるものである。そして、前記スライド部１７Ａに備えた切欠部３５が第１，第２の押圧突出部３３Ａ，３３Ｂに対応すると、第１，第２の押圧突出部３３Ａ，３３Ｂが切欠部３５に係合し、スライドベース３に対するスライド部材５の位置決めが行われるものである。
【００２８】
図４は、第２の実施形態に係るスライドベース３Ａを示す平面図である。この実施形態において、前述した実施形態における構成要素と同一機能を奏する構成要素には同一符号を付することとして、重複した説明は省略する。
【００２９】
この第２の実施形態においては、前述した第１押圧部２５と第２押圧部２７とを、それぞれ別個に備えた構成である。すなわち、第１押圧部２５は、内側ガイドプレート１３におけるＸ軸方向の両端縁部１３Ｌ，１３Ｒに対して交差する方向に長い弾性アーム３７の先端部に備えられている。より詳細には、内側ガイドプレート１３における端縁部１３Ｌ，１３Ｒに対して交差する方向に一対のスリット３９を形成することによって、前記弾性アーム３７が形成されるものである。
【００３０】
そして、第２押圧部２７は、前述した弾性アーム３１と同様に、端縁部１３Ｌ，１３Ｒに沿って延伸した弾性アーム４１の先端部に備えられている。
【００３１】
上述のように、第１押圧部２５と第２押圧部２７とを個別に備えた場合であっても、前述した実施形態と同様の効果を奏し得るものである。なお、上記構成においては、第１押圧部２５を備えた弾性アーム３７と第２押圧部２７を備えた弾性アーム４１とを別個にしたことにより、各弾性アーム３７，４１の長さをそれぞれ別個にして、弾性変形を異にすることも可能である。すなわち、弾性変形に起因する第１，第２の押圧部２５，２７の押圧力を所望の押圧力に調節することが可能なものである。
【００３２】
以上のごとき説明より理解されるように、薄い板材を積層してガイド溝を形成し、このガイド溝により薄い板材の摺動部材を摺動自在に係合した場合であっても、ガイド溝と薄い摺動部材との間の隙間を小さく抑制できる。換言すれば、ガタ付きのないスライド機構とすることができるものである。
【符号の説明】
【００３３】
３，３Ａ  スライドベース
５  スライド部材
７  ベースプレート
９  ガイドプレート
９Ａ  スライド平面
９Ｂ  屈曲部
１１  中間プレート
１３  内側ガイドプレート
１３Ｌ，１３Ｒ  端縁部
１５  ガイド溝
１５Ａ  第１ガイド溝
１５Ｂ  第２ガイド溝
１７  内側スライド部材
１７Ａ  スライド部
１７Ｂ  屈曲部
１９  外側プレート
２１  中間プレート
２３  ガイド溝
２５  第１押圧部
２７  第２押圧部
２９  スリット
３１  弾性アーム
３３Ａ  第１押圧突出部
３３Ｂ  第２押圧突出部
３５  切欠部
【図１】
2017214979.tif 000003
【図２】
2017214979.tif 000004
【図３】
2017214979.tif 000005
【図４】
2017214979.tif 000006